(57)【要約】【課題】天井材の落下を容易に且つ確実に防止するための天井材落下防止機構及びこれを備えた吊り天井構造を提供する。【解決手段】天井材支持部材１は吊り部材２を接続する接続部１ａと天井材３の側端部３ｂを支持する支持部１ｂとを備えて断面逆Ｔ字型に形成され、天井材３はその側端部３ｂが上方に折れ曲がって突出する係止片３ｃを備えて形成されている。そして、一対の第１側壁部１１ａと第１連結部１１ｂとを備えて略逆Ｕ字状に形成され、天井材支持部材１の接続部１ａを挿入して一対の第１側壁部１１ａの間に挟み込むように装着される第１保持金物１１と、一対の第２側壁部１２ａと第２連結部１２ｂとを備えて略逆Ｕ字状に形成され、接続部１ａに装着した第１保持金物１１を一対の第２側壁部１２ａの間に挿入するとともに、第２側壁部１２ａと第１側壁部１１ａとの間に係止片３ｃを挟み込んで保持するように装着される第２保持金物１２とを備える。【選択図】図１
2015021344.tif 000002
【特許請求の範囲】
【請求項１】
建物の上部構造に吊り部材を介して吊り下げ支持され、水平の一方向に所定の間隔をあけ、前記一方向に直交する水平の他方向に延設される天井材支持部材と、前記一方向に隣り合う前記天井材支持部材に架設されて天井面を形成する板状の天井材とを備える吊り天井構造の天井材脱落機構であって、
前記天井材支持部材は、上方に突設され、前記吊り部材が接続される接続部と、前記接続部の下端に繋がり、前記接続部から水平の前記一方向両側に延びる支持部とを備えて断面逆Ｔ字型に形成され、
前記天井材は、前記一方向に隣り合う前記天井材支持部材の一対の支持部に両側端部をそれぞれ上載して架設され、前記側端部が上方に折れ曲がって突出する係止片を備えて形成されており、
一対の第１側壁部と前記一対の第１側壁部の上端同士を繋ぐ第１連結部とを備えて略逆Ｕ字状に形成され、前記天井材支持部材の接続部を挿入して前記一対の第１側壁部の間に挟み込むように装着される第１保持金物と、
一対の第２側壁部と前記一対の第２側壁部の上端同士を繋ぐ第２連結部とを備えて略逆Ｕ字状に形成され、前記天井材支持部材の接続部に装着した前記第１保持金物を前記一対の第２側壁部の間に挿入するとともに、前記第２側壁部と第１側壁部との間に前記天井材の係止片を挟み込んで保持するように装着される第２保持金物とを備えて構成されていることを特徴とする天井材脱落防止機構。
【請求項２】
請求項１記載の天井材脱落防止機構において、
前記第１保持金物の第１側壁部と前記第２保持金物の第２側壁部にそれぞれ貫通形成され、前記天井材支持部材に前記第１保持金物と前記第２保持金物を装着した状態で前記天井材支持部材の接続部に貫通形成された貫通孔に連通する固着手段挿通孔と、
前記貫通孔と前記固着手段挿通孔に挿通して前記天井材支持部材に前記第１保持金物と前記第２保持金物を着脱可能に固着する固着手段とを備えていることを特徴とする天井材脱落防止機構。
【請求項３】
請求項１または請求項２に記載の天井材脱落防止機構において、
前記第２保持金物は、前記一対の第２側壁部がそれぞれ、上端側から下端に向かうに従い漸次幅方向外側に傾斜する傾斜部を下端側に備えて形成され、前記第２保持金物を装着するとともに前記下端が前記天井材の裏面に当接するように形成されていることを特徴とする天井材脱落防止機構。
【請求項４】
建物の上部構造に吊り部材を介して吊り下げ支持され、水平の一方向に所定の間隔をあけ、前記一方向に直交する水平の他方向に延設される天井材支持部材と、前記一方向に隣り合う前記天井材支持部材に架設されて天井面を形成する板状の天井材とを備える吊り天井構造の天井材脱落機構であって、
前記天井材支持部材は、上方に突設され、前記吊り部材が接続される接続部と、前記接続部の下端に繋がり、前記接続部から水平の前記一方向両側に延びる支持部とを備えて断面逆Ｔ字型に形成され、
前記天井材は、前記一方向に隣り合う前記天井材支持部材の一対の支持部に両側端部をそれぞれ上載して架設され、前記側端部が上方に折れ曲がって突出する係止片を備えて形成されており、
断面コ字状に形成され、下方に向けた開口部側から前記天井材支持部材の接続部の上端側に係合する係合部と、該係合部の下端から下方に向けて延びる第１側壁部とを備えた第１保持金物部と、
断面コ字状に形成され、下方に向けた開口部側から前記天井材支持部材の接続部の上端側に係合する係合部と、該係合部の下端から下方に向けて延びる第２側壁部とを備えた第２保持金物部とを互いの前記係合部同士を繋げるように一体形成してなる保持金物を備え、
前記天井材支持部材の接続部に前記第１保持金物部と前記第２保持金物部の係合部を係合させて前記保持金物を装着するとともに、側面視で、前記第１保持金物部の第１側壁部と前記第２保持金物部の第２側壁部の間に前記天井材の係止片が配されて保持されるように構成されていることを特徴とする天井材脱落防止機構。
【請求項５】
請求項４記載の天井材脱落防止機構において、
前記保持金物の前記第１保持金物部の第１側壁部が前記保持金物の幅方向外側に凸で円弧状の第１クランプ部を備えて形成され、
前記第２保持金物部の第２側壁部が前記保持金物の幅方向内側に凸で円弧状の第２クランプ部を備えて形成されていることを特徴とする天井材脱落防止機構。
【請求項６】
建物の上部構造に吊り部材を介して吊り下げ支持され、水平の一方向に所定の間隔をあけ、前記一方向に直交する水平の他方向に延設される天井材支持部材と、前記一方向に隣り合う前記天井材支持部材に架設されて天井面を形成する板状の天井材とを備える吊り天井構造であって、
前記天井材支持部材は、上方に突設され、前記吊り部材が接続される接続部と、前記接続部の下端に繋がり、前記接続部から水平の前記一方向両側に延びる支持部とを備えて断面逆Ｔ字型に形成され、
前記天井材は、前記一方向に隣り合う前記天井材支持部材の一対の支持部に両側端部をそれぞれ上載して架設され、前記側端部が上方に折れ曲がって突出する係止片を備えて形成されており、
且つ請求項１から請求項５のいずれか一項に記載の天井材脱落防止機構を備えて構成されていることを特徴とする吊り天井構造。
【発明の詳細な説明】
【技術分野】
【０００１】
本発明は、天井材脱落防止機構及びこれを備えた吊り天井構造に関する。
【背景技術】
【０００２】
従来、建物の天井部の構造として、吊り天井が多用されている。また、例えば図１１に示すように、水平の一方向Ｔ１に所定の間隔をあけ、一方向Ｔ１に直交する他方向Ｔ２に延びて並設された複数のＴバー（断面逆Ｔ型の天井材支持部材）１と、上端側を上階の床材（上部構造）等に固着し、下端側をＴバー１に接続して配設された複数の吊りボルト（吊り部材）２と、一方向Ｔ１に隣り合うＴバー１に架け渡すように配設されて天井面３ａを形成する天井材（天井パネル）３とを備えて構成したライン天井、ライン型システム天井などと称する吊り天井構造Ａがある（例えば、特許文献１参照）。
【０００３】
一方、このようなライン式の吊り天井構造Ａなどにおいては、天井材３に大重量の設備機器を取り付けたり、天井材３に輻射パネルを用いることがあり、規模の大きな地震時に応答が大きくなって、大きな振り幅で横揺れるとともに周囲の壁などに衝突し、天井材３や設備機器に破損が生じるおそれがある。このため、従来、図１１に示すように、上部構造などに上端側を接続し、下端側をＴバー１に接続して補強ブレース４を設けるなどして、地震時の天井材３の横揺れを抑えるようにしている。
【先行技術文献】
【特許文献】
【０００４】
【特許文献１】特開２００５−３５０９５０号公報
【発明の概要】
【発明が解決しようとする課題】
【０００５】
しかしながら、上記従来の吊り天井構造Ａにおいては、天井材３がその両側端部３ｂをＴバー１に架け渡して支持するように配設されているが故に、補強ブレース４で天井材３の横揺れを抑えたとしても、地震時に、側端部３ｂがＴバー１から外れ、天井材３が脱落しやすいという問題があった。また、Ｔバー１に変形や変位が生じることで、掛かり代を失って側端部３ｂがＴバー１から外れ、天井材３が脱落するおそれがある。
【０００６】
このため、この種の吊り天井構造Ａでは、その構成上、補強ブレース４の増設などによって横揺れを抑える手法が耐震改修の主流とされており、現状では天井材３の落下防止対策として有効な手法がなく、天井材３の落下を防止する手法の開発が強く望まれている。
【０００７】
本発明は、上記事情に鑑み、天井材の落下を容易に且つ確実に防止するための天井材落下防止機構及びこれを備えた吊り天井構造を提供することを目的とする。
【課題を解決するための手段】
【０００８】
上記の目的を達するために、この発明は以下の手段を提供している。
【０００９】
本発明の天井材脱落防止機構は、建物の上部構造に吊り部材を介して吊り下げ支持され、水平の一方向に所定の間隔をあけ、前記一方向に直交する水平の他方向に延設される天井材支持部材と、前記一方向に隣り合う前記天井材支持部材に架設されて天井面を形成する板状の天井材とを備える吊り天井構造の天井材脱落機構であって、前記天井材支持部材は、上方に突設され、前記吊り部材が接続される接続部と、前記接続部の下端に繋がり、前記接続部から水平の前記一方向両側に延びる支持部とを備えて断面逆Ｔ字型に形成され、前記天井材は、前記一方向に隣り合う前記天井材支持部材の一対の支持部に両側端部をそれぞれ上載して架設され、前記側端部が上方に折れ曲がって突出する係止片を備えて形成されており、一対の第１側壁部と前記一対の第１側壁部の上端同士を繋ぐ第１連結部とを備えて略逆Ｕ字状に形成され、前記天井材支持部材の接続部を挿入して前記一対の第１側壁部の間に挟み込むように装着される第１保持金物と、一対の第２側壁部と前記一対の第２側壁部の上端同士を繋ぐ第２連結部とを備えて略逆Ｕ字状に形成され、前記天井材支持部材の接続部に装着した前記第１保持金物を前記一対の第２側壁部の間に挿入するとともに、前記第２側壁部と第１側壁部との間に前記天井材の係止片を挟み込んで保持するように装着される第２保持金物とを備えて構成されていることを特徴とする。
【００１０】
この発明においては、例えば輻射パネルのように、天井材（天井パネル）の側端部が係止片を備えてＬ字状に形成されており、断面逆Ｔ字型の天井材支持部材（Ｔバー）の上方に突出する接続部に第１保持金物を装着しておき、接続部と係止片との間に第１保持金物の第１側壁部が介在するように、天井材支持部材の掛かり代である支持部に天井材の側端部を上載して、隣り合う天井材支持部材の間に天井材を架設する。そして、天井材支持部材の接続部と接続部に装着した第１保持金物とを内包して一対の第２側壁部で挟み込むように第２保持金物を装着するとともに、第２側壁部と第１側壁部との間に天井材の係止片を挟み込むようにする。
【００１１】
これにより、第１保持金物と第２保持金物を順次天井材支持部材の接続部に装着するという簡易な操作で、隣り合う天井材支持部材の間に架設した天井材の側端部の係止片を第１保持金物と第２保持金物によって挟み込み、天井材の側端部を天井材支持部材に連結した状態で保持することが可能になる。
【００１２】
また、本発明の天井材脱落防止機構においては、前記第１保持金物の第１側壁部と前記第２保持金物の第２側壁部にそれぞれ貫通形成され、前記天井材支持部材に前記第１保持金物と前記第２保持金物を装着した状態で前記天井材支持部材の接続部に貫通形成された貫通孔に連通する固着手段挿通孔と、前記貫通孔と前記固着手段挿通孔に挿通して前記天井材支持部材に前記第１保持金物と前記第２保持金物を着脱可能に固着する固着手段とを備えていることが望ましい。
【００１３】
この発明においては、第１保持金物と第２保持金物を装着して天井材の側端部の係止片を挟み込んで保持するとともに、これら第１保持金物と第２保持金物のそれぞれの側壁部に貫通形成された固着手段挿通孔と天井材支持部材の接続部に貫通形成された貫通孔を連通させることができ、これら連通した固着手段挿通孔と貫通孔に、例えば、固着手段のボルトを挿通してナットを締結したり、固着手段のネジを螺入するなどして、第１保持金物と第２保持金物を天井材支持部材に着脱可能に固着することができる。
【００１４】
そして、このように固着手段を用いて第１保持金物と第２保持金物を天井材支持部材に固着することによって、第１保持金物と第２保持金物の側壁部で挟み込んだ天井材の側端部をより強固に天井材支持部材に連結した状態で保持することが可能になる。
【００１５】
さらに、本発明の天井材脱落防止機構において、前記第２保持金物は、前記一対の第２側壁部がそれぞれ、上端側から下端に向かうに従い漸次幅方向外側に傾斜する傾斜部を下端側に備えて形成され、前記第２保持金物を装着するとともに前記下端が前記天井材の裏面に当接するように形成されていることがより望ましい。
【００１６】
この発明においては、第２保持金物が、その側壁部の下端側に下端に向かうに従い漸次幅方向外側に傾斜する傾斜部を備えて形成され、下端を天井材の裏面に当接させて装着されるため、地震によって吊り天井構造に揺れが発生した際に、第２保持金物の側壁部の傾斜部の弾性変形力によって天井材を下方に押圧することができる。これにより、天井材の変形を抑え、第１保持金物と第２保持金物の側壁部で挟み込んだ天井材の側端部をより確実に天井材支持部材に連結した状態で保持することが可能になる。
【００１７】
本発明の天井材脱落防止機構は、建物の上部構造に吊り部材を介して吊り下げ支持され、水平の一方向に所定の間隔をあけ、前記一方向に直交する水平の他方向に延設される天井材支持部材と、前記一方向に隣り合う前記天井材支持部材に架設されて天井面を形成する板状の天井材とを備える吊り天井構造の天井材脱落機構であって、前記天井材支持部材は、上方に突設され、前記吊り部材が接続される接続部と、前記接続部の下端に繋がり、前記接続部から水平の前記一方向両側に延びる支持部とを備えて断面逆Ｔ字型に形成され、前記天井材は、前記一方向に隣り合う前記天井材支持部材の一対の支持部に両側端部をそれぞれ上載して架設され、前記側端部が上方に折れ曲がって突出する係止片を備えて形成されており、断面コ字状に形成され、下方に向けた開口部側から前記天井材支持部材の接続部の上端側に係合する係合部と、該係合部の下端から下方に向けて延びる第１側壁部とを備えた第１保持金物部と、断面コ字状に形成され、下方に向けた開口部側から前記天井材支持部材の接続部の上端側に係合する係合部と、該係合部の下端から下方に向けて延びる第２側壁部とを備えた第２保持金物部とを互いの前記係合部同士を繋げるように一体形成してなる保持金物を備え、前記天井材支持部材の接続部に前記第１保持金物部と前記第２保持金物部の係合部を係合させて前記保持金物を装着するとともに、側面視で、前記第１保持金物部の第１側壁部と前記第２保持金物部の第２側壁部の間に前記天井材の係止片が配されて保持されるように構成されていることを特徴とする。
【００１８】
この発明においては、断面逆Ｔ字型の天井材支持部材の接続部の上端側に第１保持金物部と第２保持金物部の係合部を係合させ、第１保持金物部の第１側壁部を天井材の係止片と天井材支持部材の接続部の間に差し込み、第２保持金物部の第２側壁部を天井材の係止片の外側に配するようにして保持金物を天井材支持部材に取り付ける。
【００１９】
このように保持金物を取り付けると、側断面視（側面視）で、第１保持金物部の第１側壁部と第２保持金物部の第２側壁部の間に天井材の係止片が挟み込まれるように配され、これら第１保持金物部と第２保持金物部によって天井材の係止片を保持することができる。
【００２０】
また、本発明の天井材脱落防止機構においては、前記保持金物の前記第１保持金物部の第１側壁部が前記保持金物の幅方向外側に凸で円弧状の第１クランプ部を備えて形成され、前記第２保持金物部の第２側壁部が前記保持金物の幅方向内側に凸で円弧状の第２クランプ部を備えて形成されていることが望ましい。
【００２１】
この発明においては、保持金物を取り付けるとともに、第１保持金物部の第１クランプ部と第２保持金物部の第２クランプ部がそれぞれ天井材の係止片を内外の逆方向に押圧し、それに伴い、第１保持金物部の第１側壁部と第２保持金物部の第２側壁部が弾性変形し、第１保持金物部の第１クランプ部と第２保持金物部の第２クランプ部から大きなクランプ力（押圧力）を天井材の係止片に作用させることができる。
【００２２】
これにより、保持金物を天井材支持部材の接続部に装着するという簡易な操作で、天井材の側端部の係止片を第１保持金物部と第２保持金物部によって挟み込むようにし、より強固に保持することが可能になる。
【００２３】
本発明の吊り天井構造は、建物の上部構造に吊り部材を介して吊り下げ支持され、水平の一方向に所定の間隔をあけ、前記一方向に直交する水平の他方向に延設される天井材支持部材と、前記一方向に隣り合う前記天井材支持部材に架設されて天井面を形成する板状の天井材とを備える吊り天井構造であって、前記天井材支持部材は、上方に突設され、前記吊り部材が接続される接続部と、前記接続部の下端に繋がり、前記接続部から水平の前記一方向両側に延びる支持部とを備えて断面逆Ｔ字型に形成され、前記天井材は、前記一方向に隣り合う前記天井材支持部材の一対の支持部に両側端部をそれぞれ上載して架設され、前記側端部が上方に折れ曲がって突出する係止片を備えて形成されており、上記のいずれかの天井材脱落防止機構を備えて構成されていることを特徴とする。
【００２４】
この発明においては、上記の天井材脱落防止機構の作用効果を得ることが可能になる。
【発明の効果】
【００２５】
本発明の天井材脱落防止機構及びこれを備えた吊り天井構造においては、第１保持金物と第２保持金物を順次天井材支持部材の接続部に装着するという簡易な操作で、隣り合う天井材支持部材の間に架設した天井材の側端部の係止片を第１保持金物と第２保持金物によって挟み込み、天井材の側端部を天井材支持部材に連結した状態で保持することが可能になる。
【００２６】
よって、本発明の天井材脱落防止機構及びこれを備えた吊り天井構造によれば、地震時に、天井材の側端部が天井材支持部材から外れ、天井材に脱落が生じることを容易に且つ確実に防止することが可能になる。
【図面の簡単な説明】
【００２７】
【図１】本発明の第１実施形態に係る天井材脱落防止機構及び吊り天井構造を示す図である。
【図２】本発明の第１実施形態に係る天井材脱落防止機構の第１保持金物を示す斜視図である。
【図３】図２のＸ１−Ｘ１線矢視図である。
【図４】図２のＸ２−Ｘ２線矢視図である。
【図５】本発明の第１実施形態に係る天井材脱落防止機構の第２保持金物を示す斜視図である。
【図６】図５のＸ１−Ｘ１線矢視図である。
【図７】図５のＸ２−Ｘ２線矢視図である。
【図８】本発明の第２実施形態に係る天井材脱落防止機構及び吊り天井構造を示す図である。
【図９】本発明の第２実施形態に係る天井材脱落防止機構の保持金物を示す斜視図である。
【図１０】本発明の第２実施形態に係る天井材脱落防止機構の保持金物の変形例を示す斜視図である。
【図１１】従来のライン型の吊り天井構造を示す斜視図である。
【発明を実施するための形態】
【００２８】
以下、図１から図７（及び図１１）を参照し、本発明の第１実施形態に係る天井材脱落防止機構及びこれを備えた吊り天井構造について説明する。
【００２９】
図１（及び図１１）に示すように、本実施形態の吊り天井構造Ｂは、例えば、クリーンルームのように、ファンフィルターユニット等の大重量の設備機器を設置したり、天井材３として輻射パネルが適用されるライン式の吊り天井の構造である。そして、この吊り天井構造Ｂは、水平の一方向Ｔ１に所定の間隔をあけ、一方向Ｔ１に直交する他方向Ｔ２に延びて並設された複数の天井材支持部材１と、上端側を上階の床材等の上部構造（建物の構造体）に接続し、下端側を天井材支持部材１に接続して配設された複数の吊りボルト（吊り部材）２と、一方向Ｔ１に隣り合う天井材支持部材１に架け渡すように配設されて天井面３ａを形成する天井材（天井パネル）３と、上部構造に上端側を接続し、天井材支持部材１に下端側を接続して斜設された補強ブレース４と、天井材３の脱落を防止するための天井材脱落防止機構１０を備えて構成されている。
【００３０】
本実施形態において、天井材支持部材１は、上方に突設され、吊りボルト２の下端が接続される接続部１ａと、接続部１ａの下端に繋がり、接続部１ａから水平の一方向Ｔ１両側に延びる支持部１ｂとを備えて断面逆Ｔ字型に形成されている。すなわち、本実施形態では、Ｔバーが天井材支持部材１として使用されている。
【００３１】
また、天井材３は、一方向Ｔ１に隣り合う天井材支持部材１の一対の支持部１ｂに両側端部３ｂをそれぞれ上載して架設されている。さらに、この天井材３の側端部３ｂが上方に折れ曲がって突出する係止片３ｃを備えてＬ字状に形成されている。
【００３２】
一方、本実施形態の天井材脱落防止機構１０は、図１に示すように、第１保持金物１１と第２保持金物１２とを備えて構成されている。
【００３３】
第１保持金物１１は、図２から図４に示すように、一対の平板状の第１側壁部１１ａと一対の第１側壁部１１ａの上端同士を繋ぐ第１連結部１１ｂとを備えて略逆Ｕ字状に形成されている。また、第１保持金物１１の一対の第１側壁部１１ａにはそれぞれ、所定位置に固着手段挿通孔１１ｃが貫通形成されている。
【００３４】
第２保持金物１２は、図５から図７に示すように、一対の第２側壁部１２ａと一対の第２側壁部１２ａの上端同士を繋ぐ第２連結部１２ｂとを備えて略逆Ｕ字状に形成されている。また、本実施形態の第２保持金物１２は、一対の第２側壁部１２ａがそれぞれ、上端側から下端１２ｃに向かうに従い漸次幅方向外側に傾斜する傾斜部１２ｄを下端側に備えて形成されている。さらに、第２保持金物１２の一対の第２側壁部１２ａにはそれぞれ、所定位置に固着手段挿通孔１２ｅが貫通形成されている。
【００３５】
そして、上記構成からなる本実施形態の天井材脱落防止機構１０は、図１に示すように、まず、断面逆Ｔ字型の天井材支持部材１の上方に突出する接続部１ａに、この接続部１ａを挿入して一対の第１側壁部１１ａの間に挟み込むように第１保持金物１１を装着する。
【００３６】
次に、係止片３ｃを備えてＬ字状に形成された側端部３ｂを、天井材支持部材１の掛かり代である支持部１ｂに上載し、一方向Ｔ１に隣り合う天井材支持部材１の間に天井材３を架設する。このように天井材３を架設した段階で、天井材支持部材１の接続部１ａと天井材３の係止片３ｃとの間に第１保持金物１１の第１側壁部１１ａが介在する。
【００３７】
次に、天井材支持部材１の接続部１ａに装着した第１保持金物１１を一対の第２側壁部１２ａの間に挿入するとともに、第２側壁部１２ａと第１側壁部１１ａとの間に天井材３の係止片３ｃを挟み込むように第２保持金物１２を装着する。このとき、第２保持金物１２を所定位置まで装着すると、その下端１２ｃが天井材３の裏面３ｄに当接する。
【００３８】
さらに、第２保持金物１２を所定位置まで装着した状態で、第１保持金物１１の第１側壁部１１ａと第２保持金物１２の第２側壁部１２ａにそれぞれ貫通形成された固着手段挿通孔１１ｃ、１２ｅが天井材支持部材１の接続部１ａに貫通形成された貫通孔１ｃを通じて連通する。そして、本実施形態では、このように連通した第１保持金物１１と第２保持金物１２の固着手段挿通孔１１ｃ、１２ｅと天井材支持部材１の貫通孔１ｃに固着手段のボルト１３を挿通してナットを締結したり、固着手段のネジを螺着して、天井材支持部材１に第１保持金物１１と第２保持金物１２を着脱可能に固着する。
【００３９】
そして、本実施形態の天井材脱落防止機構１０及び吊り天井構造Ｂにおいては、上記のように、例えば輻射パネルのように、天井材３の側端部３ｂが係止片３ｃを備えてＬ字状に形成されており、断面逆Ｔ字型の天井材支持部材（Ｔバー）１の上方に突出する接続部１ａに第１保持金物１１を装着しておき、接続部１ａと係止片３ｃとの間に第１保持金物１１の第１側壁部１１ａが介在するように、天井材支持部材１の掛かり代である支持部１ｂに天井材３の側端部３ｂを上載して、隣り合う天井材支持部材１の間に天井材３を架設する。そして、天井材支持部材１の接続部１ａと接続部１ａに装着した第１保持金物１１とを内包して一対の第２側壁部１２ａで挟み込むように第２保持金物１２を装着するとともに、第２側壁部１２ａと第１側壁部１１ａとの間に天井材３の係止片３ｃを挟み込むようにする。
【００４０】
これにより、第１保持金物１１と第２保持金物１２を順次天井材支持部材１の接続部１ａに装着するという簡易な操作で、隣り合う天井材支持部材１の間に架設した天井材３の側端部３ｂの係止片３ｃを第１保持金物１１と第２保持金物１２によって挟み込み、天井材３の側端部３ｂを天井材支持部材１に連結した状態で保持することが可能になる。
【００４１】
よって、本実施形態の天井材脱落防止機構１０及びこれを備えた吊り天井構造Ｂによれば、地震時に、天井材３の側端部３ｂが天井材支持部材１から外れ、天井材３に脱落が生じることを容易に且つ確実に防止することが可能になる。
【００４２】
また、このとき、図１に示すように、天井材支持部材（Ｔバー）１の上端部分（ヘッド）が拡幅形成されているため、この天井材支持部材１に第２保持金物１２だけを装着した場合には隙間が生じ、天井材３をしっかりと保持することができず、天井材３が天井材支持部材１側に動いてしまう。
これに対し、本実施形態のように、第１保持金物１１を天井材支持部材１に装着しておき、この第１保持金物１１の上から第２保持金物１２を装着するようにしたことで、第１保持金物１１によって隙間をなくすことでき、すなわち、天井材支持部材１の位置決めを行うことができ、その上から第２保持金物１２を装着するだけで、確実に天井材３の係止片３ｃを挟み込んで保持することができる。よって、地震時に天井材３が動いて天井材支持部材１から外れて脱落することを確実に防止することが可能になる。
【００４３】
また、本実施形態の天井材脱落防止機構１０及び吊り天井構造Ｂにおいては、第１保持金物１１と第２保持金物１２を装着して天井材３の側端部３ｂの係止片３ｃを挟み込んで保持するとともに、これら第１保持金物１１と第２保持金物１２のそれぞれの側壁部１１ａ、１２ａに貫通形成された固着手段挿通孔１１ｃ、１２ｅと天井材支持部材１の接続部１ａに貫通形成された貫通孔１ｃを連通させることができる。これにより、これら連通した固着手段挿通孔１１ｃ、１２ｅと貫通孔１ｃに、例えば、固着手段のボルト１３を挿通してナットを締結したり、固着手段のネジを螺入するなどして、第１保持金物１１と第２保持金物１２を天井材支持部材１に着脱可能に固着することができる。
【００４４】
そして、このように固着手段１３を用いて第１保持金物１１と第２保持金物１２を天井材支持部材１に固着することによって、第１保持金物１１と第２保持金物１２の側壁部１１ａ、１２ａで挟み込んだ天井材３の側端部３ｂをより強固に天井材支持部材１に連結した状態で保持することが可能になる。
【００４５】
さらに、本実施形態の天井材脱落防止機構１０及び吊り天井構造Ｂにおいては、第２保持金物１２が、その側壁部１２ａの下端側に下端１２ｃに向かうに従い漸次幅方向外側に傾斜する傾斜部１２ｄを備えて形成され、下端１２ｃを天井材３の裏面３ｄに当接させて装着される。このため、地震によって吊り天井構造Ｂに揺れが発生した際に、第２保持金物１２の側壁部１２ａの傾斜部１２ｄの弾性変形力によって天井材３を下方に押圧することができる。これにより、天井材３の変形を抑え、第１保持金物１１と第２保持金物１２の側壁部１１ａ、１２ａで挟み込んだ天井材３の側端部３ｂをより確実に天井材支持部材１に連結した状態で保持することが可能になる。
【００４６】
さらに、第２保持金物１２が下端側に傾斜部１２ｄを備えていることにより、一対の第２側壁部１２ａの下端１２ｃ側の間隔が大きくなるため、これら一対の第２側壁部１２ａの間に、天井材支持部材１の接続部、第１保持金物１１、天井材３の係止片３ｃを容易に挿入して第２保持金物１２を装着することが可能になる。
【００４７】
以上、本発明に係る天井材脱落防止機構及びこれを備えた吊り天井構造の第１実施形態について説明したが、本発明は上記の第１実施形態に限定されるものではなく、その趣旨を逸脱しない範囲で適宜変更可能である。
【００４８】
例えば、本実施形態では、第２保持金物１２が傾斜部１２ｄを備えて形成されているものとしたが、第２保持金物１２は、必ずしも傾斜部１２ｄを備えて形成することに限定しなくてもよい。
【００４９】
また、第１保持金物１１と第２保持金物１２に固着手段挿通孔１１ｃ、１２ｅを形成し、固着手段１３を用いてこれら金物１１、１２を天井材支持部材１に固着するものとしたが、第１保持金物１１と第２保持金物１２をそれぞれ天井材支持部材１の接続部１ａに装着して天井材３の係止片３ｃを保持するようにしてもよい。
【００５０】
次に、図８、図９（及び図１１）を参照し、本発明の第２実施形態に係る天井材脱落防止機構及びこれを備えた吊り天井構造について説明する。なお、本実施形態は、第１実施形態と同様、保持金具をＴバーの天井材支持部材１に取り付けるとともに、天井材３の側端部３ｂに上方に折れ曲がって突出形成された係止片３ｃを保持することで、天井材３の脱落を防止するための天井材脱落防止機構が構成される。よって、本実施形態では、第１実施形態と同様の構成に対して同一符号を付し、その詳細な説明を省略する。
【００５１】
本実施形態の天井材支持部材１は、吊りボルト２の下端が接続される接続部１ａと、接続部１ａの下端に繋がる支持部１ｂとを備えて断面逆Ｔ字型に形成されたＴバーである。
【００５２】
また、天井材３は、その側端部３ｂが上方に折れ曲がって突出する係止片３ｃを備えてＬ字状に形成され、隣り合う天井材支持部材１の一対の支持部１ｂに両側端部３ｂをそれぞれ上載して架設されている。
【００５３】
一方、本実施形態の天井材脱落防止機構１５は、図８及び図９に示すように、概略第１実施形態で示した１つ第１保持金物１１と２つの第２保持金物１２とを一体に形成したような保持金物１６を備えて構成されている。
【００５４】
具体的に、まず、この保持金物１６は、図８及び図９に示すように、中央に配設された１つの第１保持金物部１７と、第１保持金物部１７の両側にそれぞれ一体に配設された２つの第２保持金物部１８とを備えて構成されている。
【００５５】
そして、第１保持金物部１７は、断面コ字状に形成され、下方に向けた開口部側から断面逆Ｔ字型の天井材支持部材１の上方に突出する接続部１ａの上端側を挿入させるとともに、この接続部１ａの上端側に係合する係合部１７ａと、係合部１７ａの両下端からそれぞれ、下方に向けて延びる一対の第１側壁部１７ｂとを備えて、断面逆Ｕ字状に形成されている。
【００５６】
また、第１保持金物部１７の係合部１７ａは、平板状の一対の側部１７ｃと一対の側部１７ｃの上端同士を繋ぐ連結部１７ｄを備えて断面コ字状に形成されている。そして、この第１保持金物部１７の係合部１７ａの一対の側部１７ｃにはそれぞれ、所定位置に固着手段挿通孔１７ｆが貫通形成されている。
【００５７】
第２保持金物部１８は、断面コ字状に形成され、下方に向けた開口部側から断面逆Ｔ字型の天井材支持部材１の上方に突出する接続部１ａの上端側を挿入させるとともに、この接続部１ａの上端側に係合する係合部１８ａと、係合部１８ａの両下端にそれぞれ上端を接続して下方に向けて延びる一対の第２側壁部１８ｂとを備えて、断面逆Ｕ字状に形成されている。
【００５８】
また、第２保持金物部の係合部１８ａは、第１保持金物部１７の係合部１７ａと同様、平板状の一対の側部１８ｃと一対の側部１８ｃの上端同士を繋ぐ連結部１８ｄを備えて断面コ字状に形成されている。そして、第２保持金物部１８は、第１保持金物部１７と、互いの係合部１７ａ、１８ａの側部１７ｃ、１８ｃと連結部１７ｄ、１８ｄの側端同士を一体に繋ぐようにし、第１保持金物部１７を間にそれぞれ配設されている。
【００５９】
また、第２保持金物部１８の第２側壁部１８ｂは、その下端が第２側壁部１８ｂの上端及び第１保持金物部１７の第１側壁部１７ｂの下端よりも幅方向（Ｔ１）外側に配されるように形成されている。
【００６０】
さらに、本実施形態において、第１保持金物部１７の第１側壁部１７ｂは、その上端と下端の間に、幅方向（Ｔ１）外側に凸で円弧状の第１クランプ部１７ｅを備えて形成されている。また、第２保持金物部１８の第２側壁部１８ｂは、その上端と下端の間に、幅方向（Ｔ１）内側に凸で円弧状の第２クランプ部１８ｅを備えて形成されている。さらに、本実施形態において、保持金物１６は、装着前の状態の側断面視（図９）で、第１クランプ部１７ｅと第２クランプ部１８ｅの互いの一部が重なり合うように形成されている。
【００６１】
上記構成からなる本実施形態の天井材脱落防止機構１５を備えた吊り天井構造Ｃでは、図８に示すように、係止片３ｃを備えてＬ字状に形成された側端部３ｂを、天井材支持部材１の掛かり代である支持部１ｂに上載し、一方向Ｔ１に隣り合う天井材支持部材１の間に天井材３を架設する。このとき、天井材３の係止片３ｃと天井材支持部材１の接続部１ａの間に所定の隙間を設けるようにして、天井材３を天井材支持部材１の支持部１ｂに上載する。
【００６２】
そして、本実施形態の天井材脱落防止機構１５では、第１保持金物部１７と２つの第２保持金物部１８を一体に備えてなる保持金物１６を、断面逆Ｔ字型の天井材支持部材１の上方に突出する接続部１ａを保持金物１６の第１保持金物部１７と２つの第２保持金物部１８に挿入し、接続部１ａの上端側に第１保持金物部１７と２つの第２保持金物部１８の係合部１７ａ、１８ａを係合させる。
【００６３】
このとき、第１保持金物部１７の第１側壁部１７ｂを天井材３の係止片３ｃと天井材支持部材１の接続部１ａの間に差し込み、第２保持金物部１８の第２側壁部１８ｂを天井材３の係止片３ｃの外側に配するようにして保持金物１６を天井材支持部材１に取り付ける。
【００６４】
このように保持金物１６を取り付けると、図８に示すように、側断面視（側面視）で、第１保持金物部１７の第１側壁部１７ｂと第２保持金物部１８の第２側壁部１８ｂの間に天井材３の係止片３ｃが挟み込まれるように配され、これら第１保持金物部１７と第２保持金物部１８によって天井材３の係止片３ｃを保持することができる。
【００６５】
また、天井材支持部材（Ｔバー）１の上端部分（ヘッド）が拡幅形成されていても、側断面視で、第１保持金物部１７の第１側壁部１７ｂによって隙間をなくし、天井材支持部材１の位置決めを行うことができ、第２保持金物部１８の第２側壁部１８ｂとともに、確実に天井材３の係止片３ｃを挟み込むようにして保持することができる。
【００６６】
これにより、保持金物１６を天井材支持部材１の接続部１ａに装着するという簡易な操作で、隣り合う天井材支持部材１の間に架設した天井材３の側端部３ｂの係止片３ｃを第１保持金物部１７と第２保持金物部１８によって挟み込むようにし、天井材３の側端部３ｂを天井材支持部材１に連結した状態で保持することが可能になる。
【００６７】
さらに、本実施形態の天井材脱落防止機構１５においては、保持金物１６の第１保持金物部１７と第２保持金物部１８のそれぞれの側壁部１７ｂ、１８ｂに互いに逆向きの外側と内側に向く凸円弧状の第１クランプ部１７ｅ、第２クランプ部１８ｅが形成されている。このため、保持金物１６を取り付けるとともに、第１保持金物部１７の第１クランプ部１７ｅと第２保持金物部１８の第２クランプ部１８ｅがそれぞれ天井材３の係止片３ｃを内外の逆方向に押圧し、それに伴い、第１保持金物部１７の第１側壁部１７ｂと第２保持金物部１８の第２側壁部１８ｂが弾性変形し、第１保持金物部１７の第１クランプ部１７ｅと第２保持金物部１８の第２クランプ部１８ｅから大きなクランプ力（押圧力）を天井材３の係止片３ｃに作用させることができる。
【００６８】
これにより、保持金物１６を天井材支持部材１の接続部１ａに装着するという簡易な操作で、天井材３の側端部３ｂの係止片３ｃを第１保持金物部１７と第２保持金物部１８によって挟み込むようにし、より強固に保持することが可能になる。
【００６９】
また、保持金物１６を天井材支持部材１に装着するとともに、第２保持金物部１８の第２側壁部１８ｂの下端が天井材３の裏面３ｄに当接する。このため、地震によって吊り天井構造Ｃに揺れが発生した際に、第２保持金物部１８の側壁部１８ｂの弾性変形力によって天井材３を下方に押圧することができる。これにより、天井材３の変形を抑え、第１保持金物部１７と第２保持金物部１８の側壁部１７ｂ、１８ｂ０で挟み込むようにした天井材３の側端部３ｂをより確実に天井材支持部材１に連結した状態で保持することが可能になる。
【００７０】
さらに、保持金物１６を所定位置まで装着した状態で、第１保持金物部１７の係合部１７ａの側部１７ｃに貫通形成された固着手段挿通孔１７ｆが天井材支持部材１の接続部１ａに貫通形成された貫通孔１ｃを通じて連通する。これにより、本実施形態においても、第１実施形態と同様、連通した保持金物１６の固着手段挿通孔１７ｆと天井材支持部材１の貫通孔１ｃに固着手段１３のボルトを挿通してナットを締結したり、固着手段１３のネジを螺着して、天井材支持部材１に保持金物１６を着脱可能に固着することができる。そして、このように固着手段１３を用いて保持金物１６を天井材支持部材１に固着することによって、保持金物１６の側壁部１７ｂ、１８ｂで挟み込んだ天井材３の側端部３ｂをより強固に天井材支持部材１に連結した状態で保持することが可能になる。
【００７１】
よって、本実施形態の天井材脱落防止機構１５及びこれを備えた吊り天井構造Ｃにおいても、第１実施形態と同様、地震時に、天井材３の側端部３ｂが天井材支持部材１から外れ、天井材３に脱落が生じることを容易に且つ確実に防止することが可能になる。
【００７２】
以上、本発明に係る天井材脱落防止機構及びこれを備えた吊り天井構造の第２実施形態について説明したが、本発明は上記の第２実施形態に限定されるものではなく、第１実施形態の変更例を含め、その趣旨を逸脱しない範囲で適宜変更可能である。
【００７３】
例えば、本実施形態では、天井材脱落防止機構１５である保持金物１６の第１保持金物部１７と第２保持金物部１８がそれぞれ、断面コ字状の係合部の両下端に上端を接続した一対の第１側壁部１７ｂと一対の第２側壁部１８ｂを備えて形成されているものとしたが、例えば吊り天井構造（天井部）Ｃの端部側に装着する保持金物１６は、図１０に示すように、第１保持金物部１７と第２保持金物部１８がそれぞれ、断面コ字状の係合部１７ａ、１８ａの一方の下端に上端を接続した一つの第１側壁部１７ｂと一つの第２側壁部１８ｂを備えて形成されていてもよい。
【符号の説明】
【００７４】
１      天井材支持部材（Ｔバー）
１ａ    接続部
１ｂ    支持部
１ｃ    貫通孔
２      吊りボルト（吊り部材）
３      天井材（天井パネル）
３ａ    天井面
３ｂ    側端部
３ｃ    係止片
３ｄ    裏面
４      補強ブレース
１０    天井材脱落防止機構
１１    第１保持金物
１１ａ  第１側壁部
１１ｂ  第１連結部
１１ｃ  固着手段挿通孔
１２    第２保持金物
１２ａ  第２側壁部
１２ｂ  第２連結部
１２ｃ  下端
１２ｄ  傾斜部
１２ｅ  固着手段挿通孔
１３    固着手段
１５    天井材脱落防止機構
１６    保持金物
１７    第１保持金物部
１７ａ  係合部
１７ｂ  第１側壁部
１７ｃ  側部
１７ｄ  連結部
１７ｅ  第１クランプ部
１７ｆ  固着手段挿通孔
１８    第２保持金物部
１８ａ  係合部
１８ｂ  第２側壁部
１８ｃ  側部
１８ｄ  連結部
１８ｅ  第２クランプ部
Ａ      従来の吊り天井構造
Ｂ      吊り天井構造
Ｃ      吊り天井構造
Ｔ１    水平の一方向
Ｔ２    水平の他方向
Ｔ３    上下方向
【図１】
2015021344.tif 000003
【図２】
2015021344.tif 000004
【図３】
2015021344.tif 000005
【図４】
2015021344.tif 000006
【図５】
2015021344.tif 000007
【図６】
2015021344.tif 000008
【図７】
2015021344.tif 000009
【図８】
2015021344.tif 000010
【図９】
2015021344.tif 000011
【図１０】
2015021344.tif 000012
【図１１】
2015021344.tif 000013